(57)【要約】【課題】自動車を利用する場面において、より便利な決済サービスを提供することができるようにする。【解決手段】リーダライタ制御部７１は、例えば、リーダライタによるアンテナを介した無線通信を制御し、情報取得部７２は、通信可能な携帯電話機に搭載された非接触ICカードから、クレジットカード番号、プリペイド残高など決済に必要な情報を取得する。記憶制御部７３は、取得された決済に必要な情報を、マイコンの内部のメモリに記憶し、決済処理部７４は、自動車の外部にある決済制御装置との間で行われる料金の決済に関する処理を実行する。外部通信制御部７５は、アンテナを介した決済制御装置との通信を行わせる。【選択図】図３
2007235658.tif 000002
【特許請求の範囲】
【請求項１】
ユーザが携帯する端末との間で行われる無線通信を制御する端末通信制御手段と、
前記端末との間で通信が可能な場合、前記端末に記憶された情報を取得する情報取得手段と、
前記情報取得手段により取得された情報を記憶する情報記憶手段と、
前記端末に記憶された情報に基づいて前記ユーザに所定のサービスを提供する処理を実行するサービス提供装置との間で行われる無線通信を制御する装置通信制御手段と、
前記サービス提供装置からの通信要求があった場合、前記情報記憶手段により記憶された情報に基づいて、前記端末により行われるべき処理を前記端末に代わって実行する処理実行手段と
を備える情報処理装置。
【請求項２】
前記端末は、携帯電話機であり、
前記端末通信制御手段は、前記携帯電話機に組み込まれた前記端末としての非接触ＩＣカードとの間で無線通信を行う
請求項１に記載の情報処理装置。
【請求項３】
前記情報取得手段により取得される情報には、前記非接触ＩＣカードを用いて行われる決済において必要となる情報であって、電子マネーのプリペイド残高、またはクレジットカードの番号が含まれる
請求項２に記載の情報処理装置。
【請求項４】
前記処理実行手段は、
前記サービス提供装置が前記ユーザに対して提供したサービスの代金を課金するとき、前記決済において必要となる情報に基づいて前記代金の決済処理を実行する
請求項３に記載の情報処理装置。
【請求項５】
自動車に取り付けられ、
前記装置通信制御手段は、前記サービス提供装置の無線通信部が、前記自動車と予め設定された距離以内の位置にあるとき、前記サービス提供装置との間で無線通信を行う
請求項１に記載の情報処理装置。
【請求項６】
前記サービス提供装置は、前記自動車に対して駐車料金を課金する駐車料金決済制御装置である
請求項５に記載の情報処理装置。
【請求項７】
前記サービス提供装置は、前記自動車に給油された燃料の代金を課金する携帯型ＰＯＳ端末である
請求項５に記載の情報処理装置。
【請求項８】
ユーザが携帯する端末との間で無線通信が可能か否かを判定し、
前記端末との間で通信が可能な場合、前記端末との間で無線通信を行い、
前記無線通信により前記端末に記憶された情報を取得し、
前記取得された情報を記憶し、
前記端末に記憶された情報に基づいて前記ユーザに所定のサービスを提供する処理を実行するサービス提供装置からの通信要求があったか否かを判定し、
前記サービス提供装置からの通信要求があった場合、前記サービス提供装置との間で無線通信を行い、
前記無線通信により前記記憶された情報に基づいて、前記端末により行われるべき処理を前記端末に代わって実行するステップ
を含む情報処理方法。
【請求項９】
ユーザが携帯する端末との間で無線通信が可能か否かの判定を制御し、
前記端末との間で通信が可能な場合、前記端末との間での無線通信を制御し、
前記無線通信により前記端末に記憶された情報の取得を制御し、
前記取得された情報の記憶を制御し、
前記端末に記憶された情報に基づいて前記ユーザに所定のサービスを提供する処理を実行するサービス提供装置からの通信要求があったか否かの判定を制御し、
前記サービス提供装置からの通信要求があった場合、前記サービス提供装置との間での無線通信を制御し、
前記無線通信により前記記憶された情報に基づいて、前記端末により行われるべき処理を前記端末に代わって実行するように制御するステップ
を含むコンピュータが読み取り可能なプログラム。
【請求項１０】
ユーザが携帯する端末との間で無線通信が可能か否かの判定を制御し、
前記端末との間で通信が可能な場合、前記端末との間での無線通信を制御し、
前記無線通信により前記端末に記憶された情報の取得を制御し、
前記取得された情報の記憶を制御し、
前記端末に記憶された情報に基づいて前記ユーザに所定のサービスを提供する処理を実行するサービス提供装置からの通信要求があったか否かの判定を制御し、
前記サービス提供装置からの通信要求があった場合、前記サービス提供装置との間での無線通信を制御し、
前記無線通信により前記記憶された情報に基づいて、前記端末により行われるべき処理を前記端末に代わって実行するように制御するステップ
を含むコンピュータが読み取り可能なプログラムが記録されている記録媒体。
【発明の詳細な説明】
【技術分野】
【０００１】
本発明は、情報処理装置および方法、プログラム、並びに記録媒体に関し、特に、自動車を利用する場面において、より便利な決済サービスを提供することができるようにする情報処理装置および方法、プログラム、並びに記録媒体に関する。
【背景技術】
【０００２】
近年、カーナビゲーションシステム、ＥＴＣ（electronic toll collection）など自動車に取り付けられる電子機器の普及がめざましい。
【０００３】
ＥＴＣは、無線通信を用いて有料道路などの通行料金を、利用者に自動的に課金するシステムであり、これにより利用者は、有料道路の料金所をノンストップで通過することが可能となっている。
【０００４】
また、携帯電話機を用いて各種のサービスや品物などの料金を決済する技術も提案されている（例えば、特許文献１参照）。
【０００５】
【特許文献１】特開２００３−１５０８７５号公報
【発明の開示】
【発明が解決しようとする課題】
【０００６】
しかしながら、ＥＴＣを利用して決済可能なサービス、品物などの種類は限られており、また、ＥＴＣを利用可能な場所も限られている。
【０００７】
一方で、携帯電話機による料金の決済は、コンビニエンスストアなどでも行われており、利用可能なサービス、品物、場所など広く普及しつつあるが、運転中の携帯電話の使用は、道路交通法により厳しく制限されている。
【０００８】
本発明は、このような状況に鑑みてなされたものであり、自動車を利用する場面において、より便利な決済サービスを提供することができるようにするものである。
【課題を解決するための手段】
【０００９】
本発明による情報処理装置は、ユーザが携帯する端末との間で行われる無線通信を制御する端末通信制御手段と、端末との間で通信が可能な場合、端末に記憶された情報を取得する情報取得手段と、情報取得手段により取得された情報を記憶する情報記憶手段と、端末に記憶された情報に基づいてユーザに所定のサービスを提供する処理を実行するサービス提供装置との間で行われる無線通信を制御する装置通信制御手段と、サービス提供装置からの通信要求があった場合、情報記憶手段により記憶された情報に基づいて、端末により行われるべき処理を端末に代わって実行する処理実行手段とを備える情報処理装置である。
【００１０】
本発明の情報処理装置においては、ユーザが携帯する端末との間で行われる無線通信が制御され、端末との間で通信が可能な場合、端末に記憶された情報が取得され、取得された情報が記憶される。また、端末に記憶された情報に基づいてユーザに所定のサービスを提供する処理を実行するサービス提供装置との間で行われる無線通信が制御され、サービス提供装置からの通信要求があった場合、記憶された情報に基づいて、端末により行われるべき処理が端末に代わって実行される。
【００１１】
したがって、ユーザは、端末を操作することなくサービスの提供を受けることができる。
【００１２】
前記端末は、携帯電話機であり、端末通信制御手段は、携帯電話機に組み込まれた端末としての非接触ＩＣカードとの間で無線通信を行うようにすることができる。
【００１３】
前記情報取得手段により取得される情報には、非接触ＩＣカードを用いて行われる決済において必要となる情報であって、電子マネーのプリペイド残高、またはクレジットカードの番号が含まれるようにすることができる。
【００１４】
前記処理実行手段は、サービス提供装置がユーザに対して提供したサービスの代金を課金するとき、決済において必要となる情報に基づいて代金の決済処理を実行するようにすることができる。
【００１５】
したがって、既存の決済の仕組みを有効に活用することができる。
【００１６】
自動車に取り付けられ、装置通信制御手段は、サービス提供装置の無線通信部が、自動車と予め設定された距離以内の位置にあるとき、サービス提供装置との間で無線通信を行うようにすることができる。
【００１７】
したがって、ユーザは、運転中に携帯電話機を操作することなく、決済を完了させることができる。
【００１８】
前記サービス提供装置は、自動車に対して駐車料金を課金する駐車料金決済制御装置であるようにすることができる。
【００１９】
前記サービス提供装置は、自動車に給油された燃料の代金を課金する携帯型ＰＯＳ端末であるようにすることができる。
【００２０】
本発明による情報処理方法は、ユーザが携帯する端末との間で無線通信が可能か否かを判定し、端末との間で通信が可能な場合、端末との間で無線通信を行い、無線通信により端末に記憶された情報を取得し、取得された情報を記憶し、端末に記憶された情報に基づいてユーザに所定のサービスを提供する処理を実行するサービス提供装置からの通信要求があったか否かを判定し、サービス提供装置からの通信要求があった場合、サービス提供装置との間で無線通信を行い、無線通信により記憶された情報に基づいて、端末により行われるべき処理を端末に代わって実行するステップを含む情報処理方法である。
【００２１】
本発明によるプログラムは、ユーザが携帯する端末との間で無線通信が可能か否かの判定を制御し、端末との間で通信が可能な場合、端末との間での無線通信を制御し、無線通信により端末に記憶された情報の取得を制御し、取得された情報の記憶を制御し、端末に記憶された情報に基づいてユーザに所定のサービスを提供する処理を実行するサービス提供装置からの通信要求があったか否かの判定を制御し、サービス提供装置からの通信要求があった場合、サービス提供装置との間での無線通信を制御し、無線通信により記憶された情報に基づいて、端末により行われるべき処理を端末に代わって実行するように制御するステップを含むコンピュータが読み取り可能なプログラムである。
【００２２】
本発明による記録媒体は、ユーザが携帯する端末との間で無線通信が可能か否かの判定を制御し、端末との間で通信が可能な場合、端末との間での無線通信を制御し、無線通信により端末に記憶された情報の取得を制御し、取得された情報の記憶を制御し、端末に記憶された情報に基づいてユーザに所定のサービスを提供する処理を実行するサービス提供装置からの通信要求があったか否かの判定を制御し、サービス提供装置からの通信要求があった場合、サービス提供装置との間での無線通信を制御し、無線通信により記憶された情報に基づいて、端末により行われるべき処理を端末に代わって実行するように制御するステップを含むコンピュータが読み取り可能なプログラムが記録されている記録媒体である。
【００２３】
本発明の情報処理方法およびプログラムにおいては、ユーザが携帯する端末との間で無線通信が可能か否かが判定され、端末との間で通信が可能な場合、端末との間で無線通信が行われ、無線通信により端末に記憶された情報が取得され、取得された情報が記憶され、端末に記憶された情報に基づいてユーザに所定のサービスを提供する処理を実行するサービス提供装置からの通信要求があったか否かが判定され、サービス提供装置からの通信要求があった場合、サービス提供装置との間で無線通信が行われ、無線通信により記憶された情報に基づいて、端末により行われるべき処理が端末に代わって実行される。
【発明の効果】
【００２４】
本発明によれば、自動車を利用する場面において、より便利な決済サービスを提供することができる。
【発明を実施するための最良の形態】
【００２５】
以下に、本発明の実施の形態について図面を参照して説明する。
【００２６】
図１は、本発明の仲介処理装置が取り付けられる自動車の例を示す図である。本発明の仲介処理装置は、例えば、クレジットカード、プリペイドなどによる決済機能を有する携帯電話機から必要な情報を取得して自動車の運転者、所有者などが提供を受けるサービスや品物などの料金の決済処理を行うよう構成れている。
【００２７】
仲介処理装置は、例えば、自動車１０の車体の内部に組み込まれる構成とされており、自動車１０のステアリングホイール１１の近辺に取り付けられたリーダライタ用アンテナ５１を介して携帯電話機との通信を行う。
【００２８】
図２は、本発明の仲介処理装置の一実施の形態に係る構成例を示すブロック図である。同図に示されるように、仲介処理装置３０は、マイコン３１、リーダライタ３２、外部通信部３３、および各部を相互に接続するバス３４により構成されている。
【００２９】
リーダライタ３２は、携帯電話機に搭載される非接触ICカードに記憶される情報の読出しまたは書込みを行う機能ブロックであり、アンテナ５１を介した無線通信により、携帯電話機に搭載された非接触ICカードに記憶されている情報の送受信を行う。
【００３０】
外部通信部３３は、自動車１０の外部にある決済制御装置との通信を行う機能ブロックとされる。ここで、決済制御装置は、例えば、駐車場の入出庫を管理し、駐車料金を自動的に課金する装置、ガソリンスタンドで給油した燃料の料金を自動的に課金する装置とされ、外部通信装置３３は、自動車１０から所定の範囲の距離にある決済制御装置と、アンテナ５２を介した無線通信を行い、料金の決済に必要な情報の送受信を行う。
【００３１】
マイコン３１は、内部にプロセッサ、メモリなどを有する小型のコンピュータとして構成され、実装されたプログラムなどのソフトウェアなどによりバス３４を介してリーダライタ３２、および外部通信部３３を制御する。マイコン３１は、例えば、アンテナ５１を介して通信可能な携帯電話機に搭載された非接触ICカードから、クレジットカード番号、プリペイド残高など決済に必要な情報を取得するようリーダライタ３２を制御して取得された情報を自身の内部のメモリなどに記憶する処理を行う。また、マイコン３１は、アンテナ５２を介して通信可能な決済制御装置に、内部のメモリなどに記憶された決済に必要な情報を供給するように外部通信部３３を制御する処理を行う。
【００３２】
図３は、マイコン３１に実装されるソフトウェアの機能的構成例を示すブロック図である。
【００３３】
リーダライタ制御部７１は、例えば、リーダライタ３２によるアンテナ５１を介して行われる無線通信を制御する。
【００３４】
情報取得部７２は、通信可能な携帯電話機に搭載された非接触ICカードから、クレジットカード番号、プリペイド残高など決済に必要な情報を取得するようリーダライタ３２を制御する。
【００３５】
記憶制御部７３は、情報取得部７２により取得された決済に必要な情報を、例えば、EEPROM（Electrically Erasable Programmable Read-Only Memory）などで構成されるマイコン３１の内部のメモリに記憶する。
【００３６】
決済処理部７４は、自動車１０の外部にある決済制御装置との間で行われる料金の決済に関する処理を実行する。例えば、決済処理部７４は、決済制御装置からの要求に応じてメモリに記憶されているクレジットカード番号などを送信したり、プリペイド残高を減額したりする処理を実行する。
【００３７】
外部通信制御部７５は、外部通信部３３を制御して、アンテナ５２を介した決済制御装置との通信を行わせる。
【００３８】
図４は、決済機能を有する携帯電話機１００の構成例を示すブロック図である。同図に示される電源回路部１３５は、例えば、ユーザの操作により電源キーがオン状態にされると、バッテリパックから各部に対して電力を供給することにより携帯電話機１００の各部を動作可能な状態に起動する。
【００３９】
CPU、ROM、およびRAM等でなる主制御部３１は、マイクロフォン１１８で集音した音声信号を音声コーデック１４０によってデジタル音声データに変換させる。デジタル音声データは変復調回路部１３９でスペクトラム拡散処理され、送受信回路部１４４でデジタルアナログ変換処理および周波数変換処理が施された後、アンテナ１１２を介して送信される。
【００４０】
また、アンテナ１１２で受信した受信信号は、増幅されて周波数変換処理およびアナログデジタル変換処理が施され、変復調回路部１３９でスペクトラム逆拡散処理され、音声コーデック１４０によってアナログ音声信号に変換される。アナログ音声信号に対応する音声はスピーカ１２２から出力される。
【００４１】
さらに、電子メールを送信する場合、操作キー１１６およびジョグダイヤル１１９の操作によって入力されたテキストデータが、操作入力制御部１３２を介して主制御部１３１に供給される。
【００４２】
電子メールが受信される場合、アンテナ１１２を介して携帯電話機基地局２から受信した受信信号は変復調回路部１３９で逆スペクトラム拡散処理されて、元のテキストデータに復元された後、LCD制御部１３６を介して液晶ディスプレイ１１５に電子メールとして表示される。
【００４３】
非接触ICカード１４６は、リーダライタ（例えば、リーダライタ３２）を有する他の装置（例えば、仲介処理装置３０）に近接され、そのリーダライタのアンテナ（例えば、アンテナ５１）から輻射される電磁波を受信したとき、それに応じて、各種の情報をリーダライタに提供する。
【００４４】
非接触ICカード１４６は、例えば、Felicaチップ（登録商標）などを用いて構成され、ループアンテナおよびコンデンサなどが１チップに格納されたICとして構成され、電磁誘導を利用して他の装置に設けられたリーダライタと各種のデータを通信するものであって、必ずしもカード状のものとして構成されるわけではない。
【００４５】
また、非接触ICカード１４６は、内部にCPU、ROM、RAM、EEPROMなど有する構成とされ、例えば、電子マネーなどのプリペイド残高、クレジットカードの番号などの情報がEEPROMに記憶されている。
【００４６】
次に、図５のフローチャートを参照して仲介処理装置３０による記憶処理について説明する。この処理は、例えば、自動車１０の運転者が、携帯電話機１００（非接触ICカード１４６）に記憶された決済に必要な情報を、自動車１０の運転に先立って仲介処理装置３０に記憶させておくようにするとき実行される。
【００４７】
ステップS１０１において、マイコン３１は、リーダライタ３２から通信可能な状態になった旨の通知があったか否かを判定し、通知があったと判定されるまで待機する。
【００４８】
上述したように、非接触ICカード１４６は、リーダライタ３２のアンテナ５１から輻射される電磁波を受信したとき、それに応じて、各種の情報をリーダライタ３２に提供し、リーダライタ３２は、この情報の提供を受けて、マイコン３１に通知を行う。自動車１０の運転者が保有する携帯電話機１００を、アンテナ５１に近接させた場合、ステップS１０１において通信可能な状態になった旨の通知があったと判定される。
【００４９】
ステップS１０２において、マイコン３１は、ステップS１０１の処理による通知に基づいて、リーダライタ３２が通信可能な携帯電話機１００（非接触ICカード１４６）との通信を開始する。このとき、例えば、通信に先立って、仲介処理装置３０と、携帯電話機１００との間で相互に認証が行われ、互いに正当な通信相手であることが認証された場合のみ、通信が開始されるようにしてもよい。
【００５０】
ステップS１０３において、マイコン３１は、リーダライタ３２を制御して携帯電話機１００（非接触ICカード１４６）から決済に必要な情報を取得する。このとき、例えば、非接触ICカード１４６に記憶されている電子マネーなどのプリペイド残高、クレジットカードの番号などの情報が取得される。
【００５１】
ステップS１０４において、マイコン３１は、ステップS１０３の処理で取得された決済に必要な情報を内部のEEPROMに記憶する。
【００５２】
ステップS１０５において、マイコン３１は、ステップS１０４の処理により情報が記憶されてから、予め設定された所定の時間が経過したか否かを判定する。ステップS１０５において、まだ所定の時間が経過していないと判定された場合、処理は、ステップS１０１に戻り、それ以降の処理が繰り返し実行される。
【００５３】
ステップS１０５において、所定の時間が経過したと判定された場合、処理は、ステップS１０６に進み、マイコン３１は、ステップS１０４の処理で記憶した、プリペイド残高、クレジットカードの番号などの情報を削除する。そして処理は、再びステップS１０１に戻る。
【００５４】
このようにして、自動車１０の運転者は、携帯電話機１００（非接触ICカード１４６）に記憶された決済に必要な情報を、自動車１０の運転に先立って仲介処理装置３０に記憶させておくことができる。また、決済に必要な情報は、所定の時間が経過すると削除されるので、例えば、運転者が代わったなどした場合に、他人のプリペイド残高やクレジットカードなどを用いて誤って決済が行われることが抑止される。
【００５５】
図６は、図５を参照して上述した仲介処理装置３０の記憶処理に伴って実行される携帯電話機１００の処理の例を説明するフローチャートである。
【００５６】
ステップS１２１において、主制御部１３１は、通信開始要求があったか否かを判定し、通信開始要求があったと判定されるまで待機する。例えば、携帯電話機１００が、アンテナ５１に近接され、アンテナ５１から輻射される電磁波を非接触ＩＣカード１４６が受信したとき、ステップＳ１２１においては、通信開始要求があったと判定される。
【００５７】
ステップS１２２において、主制御部１３１は、ステップS１２１の処理に基づいて、非接触ＩＣカード１４６が通信可能なリーダライタ３２との通信を開始する。このとき、例えば、通信に先立って、仲介処理装置３０と、携帯電話機１００との間で相互に認証が行われ、互いに正当な通信相手であることが認証された場合のみ、通信が開始されるようにしてもよい。
【００５８】
ステップＳ１２３において、主制御部１３１は、情報取得要求があったか否かを判定し、情報取得要求があったと判定されるまで待機する。例えば、図５のステップＳ１０３の処理に伴って、仲介処理装置３０から情報取得要求が送信され、非接触ＩＣカード１４６がこの情報取得要求を受信した場合、ステップＳ１２３において、情報取得要求があったと判定される。
【００５９】
ステップＳ１２３において、情報取得要求があったと判定された場合、処理は、ステップＳ１２４に進み、主制御部１３１は、非接触ICカード１４６に記憶されている電子マネーなどのプリペイド残高、クレジットカードの番号などの情報を、仲介処理装置３０（リーダライタ３２）に送信する。これにより、図５のステップS１０３の処理で、決済に必要な情報が取得されることになる。
【００６０】
ステップS１２５において、主制御部１３１は、非接触ICカード１４６の決済に関連する情報を更新する。このとき、例えば、プリペイド残高を減額する処理、または、決済に必要な情報の送信を記録するための情報をEEPROMなどに書き込む処理が実行されることになる。
【００６１】
そして、処理は、ステップS１２１に戻り、それ以降の処理が繰り返し実行される。
【００６２】
このようにして、携帯電話機１００の処理が実行される。
【００６３】
図５と図６を参照して上述した処理が行われることにより、仲介処理装置３０のマイコン３１の内部のEEPROMなどのメモリに、例えば、図７または図８に示されるような情報が記憶されることになる。
【００６４】
図７は、図５のステップS１０３の処理で、例えば、電子マネーのプリペイド残高が取得された場合、ステップS１０４の処理によりメモリ記憶された情報の例を示す図である。この例では、記憶される情報が、「蓄積時刻」と「蓄積情報」により構成されており、蓄積時刻に対応して「2006/2/3/13:45」と記述されており、蓄積情報に対応して「ID（ａ３３１）」と「課金情報（10000）」と記述されている。これは、携帯電話機１００に固有のＩＤが「ａ３３１」であり、10000円（ポイント）分のプリペイド残高が、西暦2006年２月3日13時45分に記憶されたことを表している。
【００６５】
図８は、図５のステップS１０３の処理で、例えば、クレジットカード番号が取得された場合、ステップS１０４の処理によりメモリ記憶された情報の例を示す図である。この例では、記憶される情報が、やはり「蓄積時刻」と「蓄積情報」により構成されており、蓄積時刻に対応して「2006/2/3/13:45」と記述されており、蓄積情報に対応して「ID（ａ３３１）」と「課金情報（1234-2345-3456-4567）」と記述されている。これは、携帯電話機１００に固有のＩＤが「ａ３３１」であり、決済に使用するクレジットカード番号として1234-2345-3456-4567が、西暦2006年２月3日13時45分に記憶されたことを表している。
【００６６】
次に、仲介処理装置３０により行われる決済の例について説明する。最初に、駐車料金を自動的に決済する例について説明する。
【００６７】
従来、時間決め駐車場などの駐車料金は、次のようにして支払われていた。すなわち、ユーザ（運転者）は、自動車を駐車場に入庫（入場）するとき、駐車場に設置された装置から入庫時刻が記載されたカードなどを取得して保管しておく。そして出庫するとき、そのカードを駐車場に設置された装置に挿入し、駐車した時間分の料金を精算する。
【００６８】
このように、従来の駐車料金の決済においては、自動車を入庫するときと、出庫するときに、例えば、運転席の横の窓を開けて、カードを装置から取ったり、カードを装置に挿入したりする必要があった。本発明においては、特に窓を開けるなどすることなく、駐車料金を自動的に決済できるようにする。
【００６９】
図９は、駐車場の入庫または出庫ゲートの例を示す図である。同図に示される入庫または出庫ゲートは、例えば、駐車場の入口または出口に設けられており、自動車１０を駐車する場合、運転者は、自動車１０の入庫または出庫を規制するバー２０３の開閉を制御する開閉制御装置２０１と枠２０２により区切られた所定の空間内に、自動車１０を運転して移動させる。
【００７０】
開閉制御装置２０１の内部には、決済制御装置２２１が組み込まれており、決済制御装置２２１は、アンテナ２２２を介して仲介処理装置３０と無線通信を行うように構成されている。決済制御装置２２１は、内部にプロセッサ、メモリなどを有する小型のコンピュータなどとして構成され、実装されたプログラムなどのソフトウェアなどにより所定の処理を実行し、処理結果に基づいて開閉制御装置２０１の動作を制御する制御信号を出力することにより、バー２０３を開けさせたり、閉じさせたりすることが可能となるように構成されている。
【００７１】
決済制御装置２２１は、アンテナ２２２を介して予め設定された所定の周波数および所定のプロトコルにより、仲介処理装置３０の外部通信部３３と通信を行う。すなわち、自動車１０の運転席側面のドアなどに埋め込まれたアンテナ５２と、開閉制御装置２０１の図中右側の側面に取り付けられたアンテナ２２２がそれぞれ電波を送信または受信することにより、決済制御装置２２１と、仲介処理装置３０との間で無線通信が行われる。なお、アンテナ５２と、アンテナ２２２から出力される電波の強度は、アンテナ５２とアンテナ２２２が充分に近づいたとき（例えば、１ｍ以内に近接したとき）のみ、通信が可能となるような強度に設定されている。
【００７２】
また、決済制御装置２２１には、例えば、CCD（Charge-Coupled Devices）イメージセンサなどを用いて構成される画像センサ２２３が接続されており、必要に応じて自動車１０のナンバープレートの画像を撮像し、撮像された画像を解析することで自動車１０の車両ナンバーを取得できるように構成されている。
【００７３】
次に、自動車１０の駐車場への入庫に伴って実行される決済制御装置２２１による駐車場入庫処理について、図１０のフローチャートを参照して説明する。この処理は、例えば、レーダセンサなどにより、駐車場の入口に設置された開閉制御装置２０１と枠２０２により囲まれる空間内に自動車が入ってきたことが検知されたとき実行される。
【００７４】
ステップS２０１において、決済制御装置２２１は、ポーリングを行う。このとき、予め設定された所定のポーリング信号が出力される。
【００７５】
ステップS２０２において、決済制御装置２２１は、ステップS２０１の処理によるポーリングに対する応答があったか否かを判定する。開閉制御装置２０１と枠２０２により囲まれる空間内に進入してきた自動車１０に外部通信部３３（仲介処理装置３０）が取り付けられている場合、決済制御装置２２１から送信されたポーリングに対する応答が外部通信部３３により送信されて決済制御装置２２１によりこれが受信される。
【００７６】
ステップS２０２において、応答があったと判定された場合、処理は、ステップS２０３に進み、決済制御装置２２１は、仲介処理装置３０との通信を開始する。このとき、例えば、通信に先立って、仲介処理装置３０と、決済制御装置２２１との間で相互に認証が行われ、互いに正当な通信相手であることが認証された場合のみ、通信が開始されるようにしてもよい。
【００７７】
ステップS２０４において、決済制御装置２２１は、仲介処理装置３０に対して自動決済情報の送信を要求する。これにより、仲介処理装置３０は、自身が記憶している情報を決済制御装置２２１に送信する。
【００７８】
ここで、自動決済情報は、決済制御装置２２１が駐車料金を自動的に決済するために必要となる情報であり、例えば、図５の記憶処理により仲介処理装置３０に記憶されている情報の一部であって、携帯電話機１００のＩＤ、および決済方式（例えば、プリペイド残高からの決済か、クレジットカードによる決済かを表す情報など）とされる。
【００７９】
ステップS２０５において、決済制御装置２２１は、ステップS２０４での要求に対応する自動決済情報を受信したか否かを判定し、受信したと判定されるまで待機する。ステップS２０５において、ステップS２０４での要求に対応する自動決済情報を受信したと判定された場合、処理は、ステップS２０６に進む。
【００８０】
ステップS２０６において、決済制御装置２２１は、画像センサ２２３により自動車１０のナンバープレートの画像を撮像させ、撮像された画像を解析することにより、自動車１０の車両ナンバーを読み取る。
【００８１】
ステップS２０７において、決済制御装置２２１は、現在時刻と、ステップS２０５の処理で受信したと判定された自動決済情報、およびステップS２０６の処理で読み取られた車両ナンバーを対応づけてデータベースに記憶する。データベースは、決済制御装置２２１に設けられたHDD（Hard Disk Drive）などの記憶媒体上に生成されて記憶される。
【００８２】
ステップS２０８において、決済制御装置２２１は、バー２０３を上げる（開ける）ように、開閉制御装置２０１を制御する制御信号を出力することによりゲートを開ける。これにより、バー２０３が開き、矢印２３１の方向（いまの場合、駐車場内）に自動車１０を進行させることが可能となる。
【００８３】
なお、ステップS２０２において、ステップＳ２０１のポーリングに対する応答がなかったと判定された場合、処理は、ステップS２０９に進み、決済制御装置２２１は、従来の処理を実行する。すなわち、開閉制御装置２０１の所定の部分から入庫時刻が記載されたカードなどを排出して運転者に取得させる処理が行われる。
【００８４】
次に、図１１のフローチャートを参照して、図１０を参照して上述した駐車場入庫処理に伴って実行される仲介処理装置３０の処理について説明する。
【００８５】
ステップS２２１において、外部通信制御部７５は、決済制御装置２２１からのポーリングを受信したか否かを判定し、受信したと判定されるまで待機する。例えば、図１０のステップS２０１の処理により送信されたポーリングが受信された場合、処理は、ステップS２２２に進む。
【００８６】
ステップS２２２において、外部通信制御部７５は、ステップS２２１で受信したと判定されたポーリングに対する応答を送信し、決済制御装置２２１との通信を開始する。なお、通信に先立って、仲介処理装置３０と、決済制御装置２２１との間で相互に認証が行われ、互いに正当な通信相手であることが認証された場合のみ、通信が開始されるようにしてもよい。
【００８７】
ステップS２２３において、外部通信制御部７５は、自動決済情報送信要求を受信したか否かを判定し、受信したと判定されるまで待機する。例えば、図１０のステップS２０４の処理が実行されることにより、仲介処理装置３０に対する自動決済情報送信要求が送信され、これが受信されたとき、ステップS２２３においては、自動決済情報送信要求を受信したと判定され、処理は、ステップS２２４に進む。
【００８８】
ステップS２２４において、決済処理部７４は、記憶制御部７３を介してマイコン３１の内部のメモリに記憶されている情報を読出し、読み出された情報を決済制御装置２２１に対して送信する。ここで送信された情報が図１０のステップS２０５の処理で受信されることになる。
【００８９】
図１０と図１１を参照して上述した処理が実行されることにより、決済制御装置２２１のデータベースには、図１２に示されるような情報が記憶されることになる。同図においては、決済制御装置２２１のデータベースに記憶される情報が、「ＩＤ」、「入庫時刻」、「出庫時刻」、「駐車料金」、および「決済フラグ」の各項目により構成されるレコードとして示されている。
【００９０】
図１２の第１番目のレコードは、ＩＤが「ａ１０１」、車両ナンバーが「品川３３−た１２３４」、入庫時刻が「2006/2/3/15:30」、出庫時刻が「2006/2/3/17:00」、駐車料金が「\1500」、決済フラグが「ＯＮ」と記述されている。これは、運転者が所有する携帯電話機のＩＤが「ａ１０１」であり、車両ナンバーが「品川３３−た１２３４」である自動車が、西暦２００６年２月３日１５時３０分に入庫し、西暦２００６年２月３日１７時００分に出庫したことを表している。なお、この自動車に課金すべき駐車料金は、１５００円であり、すでに決済されたことを表す決済フラグが「ＯＮ」とされている。
【００９１】
図１２の第２番目のレコードは、ＩＤが「ａ２０２」、車両ナンバーが「品川３３−け４３２１」、入庫時刻が「2006/2/3/16:00」と記述されており、出庫時刻、駐車料金、および決済フラグに対応する内容は記述されていない。これは、運転者が所有する携帯電話機のＩＤが「ａ２０１」であり、車両ナンバーが「品川３３−け４３２１」である自動車が、西暦２００６年２月３日１６時００分に入庫し、まだ出庫しておらず、この自動車に課金すべき駐車料金は未定であり、決済も未済であることをあらわしている。
【００９２】
なお、図１２は、プリペイド残高からの決済が行われる場合の例とし、クレジットカードによる決済が行われる場合は、クレジットカードの決済に必要となる情報があわせて記憶されるものとする。
【００９３】
このような情報が決済制御装置２２１により記憶されている。
【００９４】
次に、自動車１０の駐車場からの出庫に伴って実行される決済制御装置２２１による駐車場出庫処理について、図１０のフローチャートを参照して説明する。この処理は、例えば、レーダセンサなどにより、駐車場の出口に設置された開閉制御装置２０１と枠２０２により囲まれる空間内に自動車が入ってきたことが検知されたとき実行される。
【００９５】
ステップS２５１において、決済制御装置２２１は、ポーリングを行う。このとき、予め設定された所定のポーリング信号が出力される。
【００９６】
ステップS２５２において、決済制御装置２２１は、ステップS２５１の処理によるポーリングに対する応答があったか否かを判定する。開閉制御装置２０１と枠２０２により囲まれる空間内に進入してきた自動車１０に外部通信部３３（仲介処理装置３０）が取り付けられている場合、決済制御装置２２１から送信されたポーリングに対する応答が外部通信部３３により送信されて決済制御装置２２１によりこれが受信される。
【００９７】
ステップS２５２において、応答があったと判定された場合、処理は、ステップS２５３に進み、決済制御装置２２１は、仲介処理装置３０との通信を開始する。このとき、例えば、通信に先立って、仲介処理装置３０と、決済制御装置２２１との間で相互に認証が行われ、互いに正当な通信相手であることが認証された場合のみ、通信が開始されるようにしてもよい。
【００９８】
ステップS２５４において、決済制御装置２２１は、仲介処理装置３０に対して自動決済情報の送信を要求する。これにより、仲介処理装置３０は、自身が記憶している自動決済情報を決済制御装置２２１に送信する。
【００９９】
ステップS２５５において、決済制御装置２２１は、ステップS２５４での要求に対応する自動決済情報を受信したか否かを判定し、受信したと判定されるまで待機する。ステップS２５５において、ステップS２５４での要求に対応する自動決済情報を受信したと判定された場合、処理は、ステップS２５６に進む。
【０１００】
ステップS２５６において、決済制御装置２２１は、画像センサ２２３により自動車１０のナンバープレートの画像を撮像させ、撮像された画像を解析することにより、自動車１０の車両ナンバーを読み取る。
【０１０１】
ステップＳ２５７において、決済制御装置２２１は、ステップS２５５の処理で受信したと判定された自動決済情報、およびステップS２５６の処理で読み取られた車両ナンバーをキーにしてデータベースを検索する。このとき、例えば、図１２を参照して上述したデータベースが検索される。
【０１０２】
このように、仲介処理装置３０から得られた自動決済情報（携帯電話機１００のＩＤなど）だけでなく、自動車１０の車両ナンバーも加えて課金すべき金額が算出されるので、例えば、同一の携帯電話機１００を用いて、異なる自動車の駐車料金を決済する場合であっても誤って課金されることがないようにすることができる。
【０１０３】
ステップＳ２５８において、決済制御装置２２１は、ステップＳ２５７の処理で検索されたレコード（例えば、図１２の第２番目のレコード）の出庫時刻に現在時刻を記述して、駐車時間（「出庫時刻」―「入庫時刻」）を算出する。そして、算出された駐車時間に基づいて駐車料金を算出する。
【０１０４】
ステップＳ２５９において決済制御装置２２１は、ステップＳ２５８の処理で算出した駐車料金を仲介処理装置３０に対して課金する。このとき、例えば、予め設定された手続きで情報の送受信が行われ、課金が完了したか否かを表す情報が仲介処理装置３０から取得される。
【０１０５】
ステップＳ２６０において、決済制御装置２２１は、ステップＳ２５９の処理で行われた課金ができたか否かを判定する。例えば、残高不足などにより、課金できなかった場合、仲介処理装置３０からその旨を表す情報が通知され、ステップＳ２６０では、課金ができなかったと判定され、処理は、ステップＳ２６２に進み、エラー処理が実行される。これにより、例えば、駐車場の管理人に課金できない自動車が出庫しようとしていることが通知される。
【０１０６】
一方、仲介処理装置３０により問題なく駐車料金を課金できた場合、決済制御装置２２１に対してその旨を表す情報が通知され、ステップＳ２６０では、課金できたと判定され、処理は、ステップＳ２６１に進む。
【０１０７】
ステップＳ２６１において、決済制御装置２２１は、バー２０３を上げる（開ける）ように、開閉制御装置２０１を制御する制御信号を出力することによりゲートを開ける。これにより、バー２０３が開き、矢印２３１の方向（いまの場合、駐車場の外）に自動車１０を進行させることが可能となる。
【０１０８】
なお、ステップS２５２において、ステップＳ２５１のポーリングに対する応答がなかったと判定された場合、処理は、ステップS２６３に進み、決済制御装置２２１は、従来の処理を実行する。すなわち、開閉制御装置２０１の所定の部分から、ステップＳ２０９の処理に伴って発行されている入庫時刻が記載されたカードなどの挿入を受け付けて駐車料金を計算し、運転者に決済させる処理が行われる。
【０１０９】
次に、図１４のフローチャートを参照して、図１３を参照して上述した駐車場出庫処理に伴って実行される仲介処理装置３０の処理について説明する。
【０１１０】
ステップS２８１において、外部通信制御部７５は、決済制御装置２２１からのポーリングを受信したか否かを判定し、受信したと判定されるまで待機する。例えば、図１３のステップS２５１の処理により送信されたポーリングが受信された場合、処理は、ステップS２８２に進む。
【０１１１】
ステップS２８２において、外部通信制御部７５は、ステップS２８１で受信したと判定されたポーリングに対する応答を送信し、決済制御装置２２１との通信を開始する。なお、通信に先立って、仲介処理装置３０と、決済制御装置２２１との間で相互に認証が行われ、互いに正当な通信相手であることが認証された場合のみ、通信が開始されるようにしてもよい。
【０１１２】
ステップS２８３において、外部通信制御部７５は、自動決済情報送信要求を受信したか否かを判定し、受信したと判定されるまで待機する。例えば、図１３のステップS２５４の処理が実行されることにより、仲介処理装置３０に対する自動決済情報送信要求が送信され、これが受信されたとき、ステップS２８３においては、自動決済情報送信要求を受信したと判定され、処理は、ステップS２８４に進む。
【０１１３】
ステップS２８４において、決済処理部７４は、記憶制御部７３を介してマイコン３１の内部のメモリに記憶されている情報を読出し、読み出された情報を決済制御装置２２１に対して送信する。ここで送信された自動決済情報が図１３のステップS２５５の処理で受信されることになる。
【０１１４】
ステップS２８５において、決済処理部７４は、課金情報を受信したか否かを判定し、受信したと判定されるまで待機する。例えば、図１３のステップS２５９の処理が実行されることにより、仲介処理装置３０に対する課金情報が送信され、これが受信されたとき、ステップS２８５においては、課金情報を受信したと判定され、処理は、ステップS２８６に進む。
【０１１５】
ステップＳ２８６において、決済処理部７４は、ステップＳ２８５の処理で受信したと判定された課金情報に対応する処理を行う。例えば、記憶制御部７３を介してマイコン３１の内部のメモリに記憶されている情報を読出し、プリペイド残高から駐車料金分を減額する処理を実行する。あるいはまた、プリペイド残高が不足している場合、残高不足で課金できない旨を表すメッセージを作成し、決済制御装置２２１に対して送信する処理を実行する。
【０１１６】
このようにして、駐車料金の決済が自動的に行われる。
【０１１７】
ここでは、駐車料金の決済のみが行われる例について説明したが、駐車料金とともに、他のサービスや品物に対する代金が課金されるようにすることも可能である。例えば、ホテルの駐車場などに自動車１０が駐車されていた場合、ホテルでは宿泊客である自動車１０の運転者に対して提供した飲み物や土産物などの代金を記録しておき、それらの代金を、自動車１０が出庫するとき、駐車料金と一緒に課金するようにしてもよい。
【０１１８】
次に、仲介処理装置３０により行われる決済の別の例であって、ガソリンスタンドで給油料金を自動的に決済する例について説明する。
【０１１９】
従来、給油料金は、次のようにして支払われていた。すなわち、ユーザ（運転者）は、自動車をガソリンスタンドの所定の場所に停止させ、ガソリンスタンドの店員による給油を受ける。そして、ガソリンスタンドから出発するとき、現金またはクレジットカードなどにより給油料金を精算する。
【０１２０】
このように、従来の給油料金の決済においては、例えば、運転席の横の窓を開けて、店員との間で現金やクレジットカードの授受を行う必要があった。本発明においては、特に窓を開けるなどすることなく、給油料金を自動的に決済できるようにする。
【０１２１】
図１５は、ガソリンスタンドにおいて給油を受けて給油料金を自動的に決済する仕組みを説明する図である。ガソリンスタンドには、給油機が設置されており、給油を受ける自動車は、給油機横に停車する。同図においては、ガソリンスタンドに給油機３０１−１乃至３０１−３が設置されており、自動車１０−１と自動車１０−２が給油を受けるために停車している。なお、給油機３０１−１乃至３０１−３は、図中上下両側に給油のためのノズルが配置されており、１台の給油機により２台の自動車に対して同時に給油できるものとする。
【０１２２】
ここでは、ガソリンスタンドの店員が給油機のノズルを自動車の給油口に差し込み自動車に給油するものとし、自動車１０−１には、店員３１０−１が給油しており、自動車１０−２には、店員３１０−２が給油している。
【０１２３】
給油機３０１−１乃至３０１−３は、ノズルから噴出された燃料（ガソリンなど）の量を算出して、所定のＰＯＳ端末などに、各自動車に対して給油された燃料の量を通知する。ここでは、ガソリンスタンドの店員３１０−１と３１０−２が、それぞれ携帯可能なＰＯＳ端末であるハンディターミナル３２１−１と３２１−２を携帯しているものとする。
【０１２４】
ハンディターミナル３２１−１と３２１−２は、それぞれに設けられた図示せぬアンテナなどを介して予め設定された所定の周波数および所定のプロトコルにより、仲介処理装置３０の外部通信部３３と通信を行う。すなわち、自動車１０−１または１０−２の給油口の付近に埋め込まれたアンテナ５２−１または５２−２と、ハンディターミナル３２１−１または３２１−２のアンテナがそれぞれ電波を送信または受信することにより、ハンディターミナル３２１−１または３２１−２と、自動車１０−１または１０−２の仲介処理装置との間で無線通信が行われる。
【０１２５】
なお、アンテナ５２−１または５２−２と、ハンディターミナル３２１−１または３２１−２のアンテナから出力される電波の強度は、アンテナ５２−１または５２−２とハンディターミナル３２１−１または３２１−２のアンテナが充分に近づいたとき（例えば、５０ｃｍ以内に近接したとき）のみ、通信が可能となるような強度に設定されている。このように設定することで、例えば、自動車１０−２の給油料金を、誤って自動車１０−１に課金してしまうことが抑止される。
【０１２６】
次に、自動車１０−１または１０−２への給油に伴って実行されるハンディターミナル３２１−１または３２１−２の処理について、図１６のフローチャートを参照して説明する。ここでは、例えば、自動車１０−１に給油した店員３１０−１のハンディターミナル３２１−１の処理について説明し、以下適宜、自動車やハンディターミナルなどを個々に区別する必要がないときは、単に自動車１０、ハンディターミナル３２１などのように記載する。
【０１２７】
この処理は、例えば、自動車１０への給油が完了し、店員３１０がハンディターミナルに設けられた自動課金処理実行用のボタンなどを押下したとき実行される。
【０１２８】
ステップS３０１において、ハンディターミナル３２１は、ポーリングを行う。このとき、予め設定された所定のポーリング信号が出力される。
【０１２９】
ステップS３０２において、決済制御装置３２１は、ステップS３０１の処理によるポーリングに対する応答があったか否かを判定する。給油を受けた自動車１０に外部通信部３３（仲介処理装置３０）が取り付けられている場合、ハンディターミナル３２１から送信されたポーリングに対する応答が外部通信部３３により送信されてハンディターミナル３２１によりこれが受信される。
【０１３０】
ステップS３０２において、応答があったと判定された場合、処理は、ステップS３０３に進み、ハンディターミナル３２１は、仲介処理装置３０との通信を開始する。このとき、例えば、通信に先立って、仲介処理装置３０と、ハンディターミナル３２１との間で相互に認証が行われ、互いに正当な通信相手であることが認証された場合のみ、通信が開始されるようにしてもよい。
【０１３１】
ステップS３０４において、ハンディターミナル３２１は、仲介処理装置３０に対して自動決済情報の送信を要求する。これにより、仲介処理装置３０は、自身が記憶している情報をハンディターミナル３２１に送信する。
【０１３２】
ステップS３０５において、ハンディターミナル３２１は、ステップS３０４での要求に対応する自動決済情報を受信したか否かを判定し、受信したと判定されるまで待機する。ステップS３０５において、ステップS３０４での要求に対応する自動決済情報を受信したと判定された場合、処理は、ステップS３０６に進む。
【０１３３】
ステップS３０６において、ハンディターミナル３２１は、給油機３０１から供給される、自動車１０に給油された燃料の量に基づいて給油料金を算出する。
【０１３４】
ステップＳ３０７においてハンディターミナル３２１は、ステップＳ３０６の処理で算出した給油料金を仲介処理装置３０に対して課金する。このとき、例えば、予め設定された手続きで情報の送受信が行われ、課金が完了したか否かを表す情報が仲介処理装置３０から取得される。
【０１３５】
ステップＳ３０８において、ハンディターミナル３２１は、ステップＳ３０７の処理で行われた課金ができたか否かを判定する。例えば、残高不足などにより、課金できなかった場合、仲介処理装置３０からその旨を表す情報が通知され、ステップＳ３０８では、課金ができなかったと判定され、処理は、ステップＳ３９０に進み、エラー処理が実行される。これにより、例えば、ハンディターミナル３２１のディスプレイなどに課金できなかったことを通知するメッセージが表示される。
【０１３６】
一方、仲介処理装置３０により問題なく駐車料金を課金できた場合、ハンディターミナル３２１に対してその旨を表す情報が通知され、ステップＳ３０８では、課金できたと判定され、処理は、終了する。
【０１３７】
なお、図１６のハンディターミナルの処理の実行に伴って、伴って仲介処理装置３０の処理も実行されることになるが、この処理は、図１４を参照して上述した場合と同様なので、詳細な説明は省略する。
【０１３８】
このようにして、給油料金が自動的に決済される。
【０１３９】
このように、本発明においては、自動車の窓などを開けることなく、自動的に決済を行うことが可能となる。
【０１４０】
例えば、近年、治安の悪化などが懸念されており、料金の支払い等であっても簡単に自動車の窓を開けたくないユーザもいる。また、例えば、冬のガソリンスタンドなどは気温が低く、車内の暖房効果を高めるためにも窓を開けたくない場合がある。このような場合であっても、本発明によれば、簡単かつ確実に決済を完了させることが可能となる。
【０１４１】
また、本発明においては、決済を行うにあたって、コンビニエンスストアなどでも利用され広く普及しつつある決済機能を有する携帯電話機１００を利用しているので、既存の決済システムなどを有効に活用することが可能となる。特に、運転中の携帯電話の使用が、道路交通法により厳しく制限されている中で、本発明においては、運転中に携帯電話機１００を操作するなどの必要がなく、簡単かつ確実に決済を完了させることが可能となる。
【０１４２】
なお、以上においては、携帯電話機の非接触ICカードから決済情報を取得して決済処理を仲介する仲介処理装置の例について説明したが、決済情報を取得する対象は、携帯電話機や非接触ICカードに限られるものではない。
【０１４３】
また、以上においては、決済情報を取得して決済処理を仲介する仲介処理装置の例について説明したが、仲介処理装置は、決済以外の情報の交換を仲介するようにしてもよい。また、以上においては、仲介処理装置が自動車に取り付けられる例について説明したが、例えば、建物などに仲介処理装置が取り付けられ、訪問者があったときに、建物の中にいる人と訪問者が情報を交換する用途や、セキュリティ管理されている部屋に人やロボットが出入りせずに情報を交換する用途に用いられるようにすることも可能である。
【０１４４】
なお、上述した一連の処理をハードウェアで実現するか、ソフトウェアで実現するかは問わない。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図１７に示されるような汎用のパーソナルコンピュータ５００などに、ネットワークや記録媒体からインストールされる。
【０１４５】
図１７において、CPU（Central Processing Unit）５０１は、ROM（Read Only Memory）５０２に記憶されているプログラム、または記憶部５０８からRAM（Random Access Memory）５０３にロードされたプログラムに従って各種の処理を実行する。RAM５０３にはまた、CPU５０１が各種の処理を実行する上において必要なデータなども適宜記憶される。
【０１４６】
CPU５０１、ROM５０２、およびRAM５０３は、バス５０４を介して相互に接続されている。このバス５０４にはまた、入出力インタフェース５０５も接続されている。
【０１４７】
入出力インタフェース５０５には、キーボード、マウスなどよりなる入力部５０６、CRT(Cathode Ray Tube)、ＬＣＤ(Liquid Crystal display)などよりなるディスプレイ、並びにスピーカなどよりなる出力部５０７、ハードディスクなどより構成される記憶部５０８、モデム、LANカードなどのネットワークインタフェースカードなどより構成される通信部５０９が接続されている。通信部５０９は、インターネットを含むネットワークを介しての通信処理を行う。
【０１４８】
入出力インタフェース５０５にはまた、必要に応じてドライブ５１０が接続され、磁気ディスク、光ディスク、光磁気ディスク、或いは半導体メモリなどのリムーバブルメディア５１１が適宜装着され、それらから読み出されたコンピュータプログラムが、必要に応じて記憶部５０８にインストールされる。
【０１４９】
上述した一連の処理をソフトウェアにより実行させる場合には、そのソフトウェアを構
成するプログラムが、インターネットなどのネットワークや、リムーバブルメディア５１１などからなる記録媒体からインストールされる。
【０１５０】
なお、この記録媒体は、図１７に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア５１１により構成されるものだけでなく、装置本体に予め組み込まれた状態でユーザに配信される、プログラムが記録されているROM５０２や、記憶部５０８に含まれるハードディスクなどで構成されるものも含む。
【０１５１】
また、本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【０１５２】
【図１】本発明の仲介処理装置が取り付けられる自動車の例を示す図である。
【図２】本発明の仲介処理装置の一実施の形態に係る構成例を示すブロック図である。
【図３】図２のマイコンに実装されるソフトウェアの機能的構成例を示すブロック図である。
【図４】携帯電話機の構成例を示すブロック図である。
【図５】記憶処理を説明するフローチャートである。
【図６】携帯電話機の処理を説明するフローチャートである。
【図７】図５の処理により記憶される情報の例を示す図である。
【図８】図５の処理により記憶される情報の例を示す図である。
【図９】駐車場の入庫または出庫ゲートの例を示す図である。
【図１０】駐車場入庫処理の例を説明するフローチャートである。
【図１１】図１０の処理に伴って実行される仲介処理装置の処理の例を説明するフローチャートである。
【図１２】決済制御装置により記憶される情報の例を示す図である。
【図１３】駐車場出庫処理の例を説明するフローチャートである。
【図１４】図１３の処理に伴って実行される仲介処理装置の処理の例を説明するフローチャートである。
【図１５】ガソリンスタンドにおいて給油を受けて給油料金を自動的に決済する仕組みを説明する図である。
【図１６】ハンディターミナルの処理を説明するフローチャートである。
【図１７】パーソナルコンピュータの構成例を示すブロック図である。
【符号の説明】
【０１５３】
１０  自動車，
３０  仲介処理装置，
３１  マイコン，
３２  リーダライタ，
３３  外部通信部，
５１  アンテナ，
５２  アンテナ，
７１  リーダライタ制御部，
７２  情報取得部，
７３  記憶制御部，
７４  決済処理部，
７５  外部通信制御部，
１００  携帯電話機，
２２１  決済制御装置，
３２１  ハンディターミナル，
５０１  ＣＰＵ，
５０２  ＲＯＭ，
５０８  記憶部，
５１１  リムーバブルメディア
【図１】
2007235658.tif 000003
【図２】
2007235658.tif 000004
【図３】
2007235658.tif 000005
【図４】
2007235658.tif 000006
【図５】
2007235658.tif 000007
【図６】
2007235658.tif 000008
【図７】
2007235658.tif 000009
【図８】
2007235658.tif 000010
【図９】
2007235658.tif 000011
【図１０】
2007235658.tif 000012
【図１１】
2007235658.tif 000013
【図１２】
2007235658.tif 000014
【図１３】
2007235658.tif 000015
【図１４】
2007235658.tif 000016
【図１５】
2007235658.tif 000017
【図１６】
2007235658.tif 000018
【図１７】
2007235658.tif 000019